(57)【要約】【課題】医師等が、蘇生治療開始時点からの時間経過を正確に認識しつつ、患者に適切な蘇生処置を行えるように支援することを目的とする。【解決手段】新生児等の患者の蘇生治療開始からの経過時間に基づいて、患者の蘇生処置及び評価を行うことを支援する蘇生処置支援装置１００であって、患者の蘇生治療開始からの経過時間を表示する経過時間表示部４０と、予め定められた経過時間後に患者の評価を行うための評価期間を表示する評価期間表示部５０と、患者の実測ＳｐＯ２値をリアルタイムに表示するＳｐＯ２値表示部２０と、患者の脈拍数をリアルタイムに表示する脈拍数表示部３０とを有する。【選択図】      図１
2014083114.tif 000002
【特許請求の範囲】
【請求項１】
新生児等の患者の蘇生治療開始からの経過時間に基づいて、前記患者の蘇生処置及び評価を行うことを支援する蘇生処置支援装置であって、前記患者の蘇生治療開始からの経過時間を表示する経過時間表示部と、予め定められた経過時間後に前記患者の評価を行うための評価期間を表示する評価期間表示部と、前記患者の実測ＳｐＯ２値をリアルタイムに表示するＳｐＯ２値表示部と、前記患者の脈拍数をリアルタイムに表示する脈拍数表示部とを有することを特徴とする蘇生処置支援装置。
【請求項２】
前記ＳｐＯ２値表示部は、前記実測ＳｐＯ２値をリアルタイムに算用数字を用いて表示したデジタル表示部と、表示画面の切替え操作によって表示可能であり、前記蘇生治療開始からの経過時間に対応する前記実測ＳｐＯ２値の経過をグラフ化したグラフ表示部とを備えることを特徴とする請求項１記載の蘇生処置支援装置。
【請求項３】
前記グラフ表示部に、前記実測ＳｐＯ２値とＳｐＯ２値の評価目標値とが重ねて表示されることを特徴とする請求項２記載の蘇生処置支援装置。
【発明の詳細な説明】
【技術分野】
【０００１】
本発明は、出生直後の新生児等の患者の状態を評価し、蘇生処置が必要な場合に適切な蘇生処置を支援する蘇生処置支援装置に関する。
【背景技術】
【０００２】
従来から、新生児を出生時に速やかに評価し、この評価に基づいて必要があると判断したときには、この新生児に蘇生処置を施すようにした新生児蘇生治療が知られている。
例えば、新生児に蘇生処置を施してから６秒間の心拍数測定を行い、その心拍数を評価し、この評価に基づいて必要があると判断したときには、さらに蘇生処置を行う。そして、以降必要な場合に、適宜６秒間の心拍数測定による評価を行いながら５〜１０分の間で蘇生処置が繰り返される。
この際、蘇生処置が必要な新生児は、一般的には、出生時に直ちに開放型保育器（インファントウォーマ）などの保育器に収容され、蘇生処置を施す期間や評価する期間は、インファントウォーマに設けられたタイマに従って決定される。
【０００３】
例えば、特許文献１には、新生児（患者）に施す蘇生処置と、新生児の評価とを交互に行えるように、蘇生治療に用いるタイマを内蔵させた保育器が開示されている。この保育器に設けられた蘇生治療用タイマは、蘇生治療の開始（出生時）からの全経過時間を表示することができる経過時間表示部と、新生児の評価を行うための評価期間の進行や終盤を表示する評価期間表示部とを備えており、医師等が、経過時間及び評価期間の終了時点を正確かつ迅速に認識することができるようになっている。したがって、医師は、新生児の呼吸数、肌色、心音計測などを通じて新生児の評価を速やかに行うことができる。
【先行技術文献】
【特許文献】
【０００４】
【特許文献１】特許第４９７６２３２号公報
【発明の概要】
【発明が解決しようとする課題】
【０００５】
ところで、新生児蘇生治療では、臨床的な評価項目として呼吸と脈拍数（心拍数）とが同時に評価される。呼吸と脈拍数とをチェックした結果、蘇生や呼吸補助が必要と判断した場合は、パルスオキシメータ（ＳｐＯ２モニタ）によりＳｐＯ２値（動脈血酸素飽和度）をモニタしながら人工呼吸や持続的気道陽圧（ＣＰＡＰ：ｃｏｎｔｉｎｕｏｕｓ  ｐｏｓｉｔｉｖｅ  ａｉｒｗａｙ  ｐｒｅｓｓｕｒｅ）を施行する。このように、医師は、新生児に蘇生処置が必要であると判断した場合には、蘇生処置を効果的に行うために蘇生治療開始からの時間経過を正確に認識するとともに、その時点における呼吸及び脈拍数の評価目標値に基づいて新生児の状態を迅速に、かつ適切に評価して、新生児に適切な処置を施すことが求められる。
【０００６】
本発明は、このような事情に鑑みてなされたものであり、医師等が、蘇生治療開始時点からの時間経過を正確に認識しつつ、新生児等の患者に適切な蘇生処置を行えるように支援することを目的とするものである。
【課題を解決するための手段】
【０００７】
本発明は、新生児等の患者の蘇生治療開始からの経過時間に基づいて、前記患者の蘇生処置及び評価を行うことを支援する蘇生処置支援装置であって、前記患者の蘇生治療開始からの経過時間を表示する経過時間表示部と、予め定められた経過時間後に前記患者の評価を行うための評価期間を表示する評価期間表示部と、前記患者の実測ＳｐＯ２値をリアルタイムに表示するＳｐＯ２値表示部と、前記患者の脈拍数をリアルタイムに表示する脈拍数表示部とを有する。
【０００８】
経過時間及び評価期間を表示する各表示部の他に、患者の評価に必要な評価項目であるＳｐＯ２値（実測ＳｐＯ２値）と脈拍数との両方を表示するＳｐＯ２値表示部及び脈拍数表示部を設けたことにより、医師等は、蘇生治療時における限られた時間内において、ＳｐＯ２値及び脈拍数の２つの評価項目を迅速に認識することができる。したがって、医師は、患者の評価を迅速に行うことができ、患者に適切な蘇生処置を施すことができる。
【０００９】
本発明の蘇生処置支援装置において、前記ＳｐＯ２値表示部は、前記実測ＳｐＯ２値をリアルタイムに算用数字を用いて表示したデジタル表示部と、表示画面の切替え操作によって表示可能であり、前記蘇生治療開始からの経過時間に対応する前記実測ＳｐＯ２値の経過をグラフ化したグラフ表示部とを備える。
実測ＳｐＯ２値を、デジタル表示部の他に、表示画面の切替え操作によって自由に表示させることができるグラフ表示部によって表示可能としており、医師等は、実測ＳｐＯ２値の認識において、デジタル表示部とグラフ表示部の２つの表示方法のうち理解し易い表示方法を優先的に選択して、患者の評価を行うことができる。
【００１０】
また、前記グラフ表示部に、前記実測ＳｐＯ２値とＳｐＯ２値の評価目標値とを重ねて表示するとよい。
この場合、医師等は、実測ＳｐＯ２値とその評価目標値を迅速に認識することができ、またこれらの値を容易に比較することができるので、患者の評価を迅速に行うことが可能となる。
【発明の効果】
【００１１】
本発明によれば、経過時間及び評価期間を表示する各表示部の他に、患者の評価に必要なＳｐＯ２値と脈拍数を表示する表示部を設けたことにより、医師等は、蘇生治療開始時点からの時間経過を正確に認識しつつ、蘇生治療時における限られた時間内において、ＳｐＯ２値及び脈拍数の２つの評価項目を迅速に認識することができる。したがって、医師が患者の評価を迅速に行うことができ、適切な蘇生処置を効果的に行えるように適切に支援することができる。
【図面の簡単な説明】
【００１２】
【図１】本発明の一実施形態の蘇生処置支援装置の正面図であり、制御・表示部に第１評価画面を表示した状態を示す。
【図２】図１に示す蘇生処置支援装置の制御・表示部の第２評価画面を示す。
【図３】新生児蘇生治療を説明するためのフローチャートである。
【発明を実施するための形態】
【００１３】
以下、本発明の一実施形態を、図面を参照しながら説明する。
図１は、本発明の実施形態の蘇生処置支援装置１００を示す。この蘇生処置支援装置１００は、例えばインファントウォーマ等の保育器に接続され、新生児等の患者の蘇生治療開始からの経過時間に基づいて、患者の蘇生処置及び評価を行うことを支援するものである。蘇生処置支援装置１００には、パルスオキシメータが内蔵されており、このパルスオキシメータの検出部１０１を患者に装着することにより、患者のＳｐＯ２値と脈拍数（心拍数）を計測することができるようになっている。なお、ＳｐＯ２値は、動脈に含まれる酸素の飽和度を示し、パルスオキシメータは、動脈血の赤色の度合いによりＳｐＯ２値を求めるものである。
【００１４】
蘇生処置支援装置１００の制御・表示部１０には、図１及び図２に示すように、医師等に情報を伝達するための種々の表示部と、これら表示部の表示等を操作するための操作部とが備えられている。また、制御・表示部１０は、画面の下部に備えられる切替えスイッチ１１を操作することにより、少なくとも図１に示す第１評価画面１０Ａと、図２に示す第２評価画面１０Ｂとの二つの表示画面を自由に切り替えられるようになっている
【００１５】
図１及び図２に示す経過時間表示部４０は、算用数字を用いて患者の蘇生治療開始からの経過時間を表示する。この経過時間表示部４０は、４桁の数字を表示し得るように構成されており、右側の２桁の数字は、時間の経過に伴って「００」〜「５９」までの秒を順次表示する。また、左側の２桁の数字は、時間の経過に伴って「００」〜「９９」までの分を順次表示する。
【００１６】
なお、経過時間表示部４０は、蘇生処置支援装置１００の内部に設けられたタイマのカウントを表示するものであり、タイマスイッチ４１を押圧などにより操作してオン状態にすることにより（一般的には、新生児の出生時に操作する。）、タイマが起動し、経過時間のカウントが開始されるようになっている。したがって、経過時間表示部４０には、一般的には、新生児の出生時からの経過時間が、分及び秒で表示される。
なお、経過時間表示部４０は、時表示を含むこともできる。さらに、タイマスイッチ４１のオン状態において、このタイマスイッチ４１をもう一度、押圧などにより操作することにより、オフ状態に戻すことができる。
【００１７】
評価期間表示部５０は、予め定められた経過時間後に患者の評価を行うための評価期間を表示するものであり、評価期間を１秒間毎に０から６まで順次点灯して表示するための秒ポイント表示部５１が設けられている。この秒ポイント表示部５１は、通常のアナログ時計の文字盤の１２時に相当する位置に配置される０番目のポイント発光表示部５２ａから、６時に相当する位置に配置される６番目のポイント発光表示部５２ｇまでの７個のポイント発光表示部５２ａ〜５２ｇを備え、ほぼ半円形状に設けられており、６秒間の評価期間の開始時点から終了時点までにおいて、１秒間隔で順次点灯するように構成されている。
【００１８】
また、０番目のポイント発光表示部５２ａは、６秒間の評価期間の開始時点を表示するためのものであり、６番目のポイント発光表示部５２ｇは、その評価期間の終了時点を表示するためのものであるから、他のポイント発光表示部５２ｂ〜５２ｆとは発光色が異なっているのが好ましい。例えば、ポイント発光表示部５２ａ，５２ｇの発光色を青色とし、他のポイント発光表示部５２ｂ〜５２ｆを橙色とすることができる。
【００１９】
ＳｐＯ２値表示部２１は、パルスオキシメータにより計測した患者の実測ＳｐＯ２値（ＳｐＯ２値の実測値）をリアルタイムに表示するものであり、第１評価画面１０Ａ及び第２評価画面１０Ｂの両画面には、実測ＳｐＯ２値を算用数字により表示するデジタル表示部２１が設けられている。そして、そのデジタル表示部２１の右側には、ＳｐＯ２値の警報設定値を表示する警報ＳｐＯ２値表示部２２が備えられている。この場合、警報ＳｐＯ２値表示部２２は、予め保存されたＳｐＯ２値の警報設定値の上限値２３と下限値２４とを表示する構成とされており、患者の実測ＳｐＯ２値が、ＳｐＯ２値の警報設定値の上限値２３及び下限値２４の範囲を外れた場合に、警報音が放音されるようになっている。
例えば、図１に示す第１評価画面１０Ａでは、ＳｐＯ２値の警報設定値の上限値２３が「９９」、下限値２４が「７４」に設定されており、患者の実測ＳｐＯ２値が７４％以上９９％以下の範囲を外れた場合に警報音が放音されるようになっている。また、図２に示す第２評価画面１０Ｂでは、上限値２３が「‐‐」と表示され、上限値２３は未設定であるが、下限値２４は「７３」に設定され、患者の実測ＳｐＯ２値が７３％未満となった場合のみ警報音が放音されるようになっている。
【００２０】
そして、図２に示す第２評価画面１０Ｂには、実測ＳｐＯ２値をリアルタイムに算用数字を用いて表示するデジタル表示部２１の他に、蘇生治療開始からの経過時間に対応する実測ＳｐＯ２値の経過をグラフ化したグラフ表示部２５が設けられている。医師は、切替えスイッチ１１を操作することにより、第１評価画面１０Ａと第２評価画面１０Ｂとを自由に切り替えることができ、第２評価画面１０Ｂを表示することにより、実測ＳｐＯ２値のデジタル表示部２１とともに、グラフ表示部２５を表示することができるようになっている。このグラフ表示部２５には、実測ＳｐＯ２値（実線２６）とＳｐＯ２値の評価目標値（一点鎖線２７）とが重ねて表示されており、実測ＳｐＯ２値とその評価目標値とを容易に比較することができるようになっている。このＳｐＯ２値の評価目標値は、例えば、蘇生治療開始からの経過時間が１分で６０％以上、３分で７０％以上、５分で８０％以上、１０分で９０％以上とされる。なお、図示はしないが、グラフ表示部２５には、実測ＳｐＯ２値だけではなく、脈拍数の経過を重ねて表示することもできる。
【００２１】
脈拍数表示部３０は、パルスオキシメータにより計測した患者の脈拍数をリアルタイムに表示するものである。第１評価画面１０Ａ及び第２評価画面１０Ｂの両画面には、脈拍数を算用数字により表示するデジタル表示部３１が設けられている。そして、そのデジタル表示部３１の右側には、脈拍数の警報設定値を表示する警報脈拍数表示部３２が備えられている。この場合、警報脈拍数表示部３２は、予め保存された脈拍数の警報設定値の上限値３３と下限値３４とを表示する構成とされており、患者の脈拍数が、脈拍数の警報設定値の上限値３３及び下限値３４の範囲を外れた場合に、警報音が放音されるようになっている。
例えば、図１に示す第１評価画面１０Ａでは、脈拍数の警報設定値の上限値３３が「１９０」、下限値３４が「５０」に設定されており、患者の脈拍数が５０回／分以上１９０回／分以下の範囲を外れた場合に警報音が放音されるようになっている。また、図２に示す第２評価画面１０Ｂでは、上限値３３が「１７０」に設定され、下限値３４は「‐‐‐」と表示され未設定であり、患者の心拍数が１７０回／分を超えた場合のみ警報音が放音されるようになっている。
また、図１に示す第１評価画面１０Ａを表示することにより、脈拍数をリアルタイムに算用数字を用いて表示するデジタル表示部３１とともに、脈波のプレチスモグラフ波形等を表示するグラフ表示部３５に切り替えることができる。
【００２２】
なお、制御・表示部１０には、第１評価画面１０Ａや第２評価画面１０Ｂとは別の評価画面を表示できるようにすることもできる。また、制御・表示部１０には、蘇生処置支援装置１００の環境設定や各計測機能の設定を変更するメニュー画面（図示略）を表示することもでき、例えば、メニュー画面切替えスイッチ１２を操作することにより評価画面１０Ａ，１０Ｂからメニュー画面に切り替えることができる。
【００２３】
また、蘇生処置支援装置１００には、ベル音やブザー音等の報知音を発生することができるスピーカが備えられている。報知音をオン状態に設定すると、蘇生処置期間の終了間際から終了時点までを報知するための報知音や、ＳｐＯ２値の評価タイミングを知らせる報知音等がスピーカから放音されるようになっている。
例えば、蘇生処置期間の終了時点から３秒間前（蘇生処置期間が２７秒経過した時点）から終了時点までの約３秒間において、報知音が１秒間隔で放音されるように構成され、医師が患者の評価準備を行うべきであることを、医師に知らせることができる。また、蘇生治療開始から１分、３分、５分、１０分のタイミングでは、蘇生処置期間の終了時点を報知するための報知音と異なる報知音が放音されるように構成されており、医師に患者のＳｐＯ２値を評価するタイミングであることを知らせることができる。
なお、蘇生処置支援装置１００には主電源スイッチ（図示略）が設けられており、この主電源スイッチを入れることによって、動作可能な状態となる。
【００２４】
図３は、図１及び図２に示す蘇生処置支援装置１００を用いて医師が行う新生児蘇生治療のフローチャートである。まず、この図３に示すように、主電源スイッチを入れることにより、蘇生処置支援装置１００を動作可能な状態としておく（ｓ１：ステップ１）。そして、医師等が、新生児の出生とほぼ同時にタイマスイッチ４１を操作してタイマを起動すると（ｓ２：ステップ２）、経過時間のカウントが開始されるとともに、経過時間表示部４０が出生時（蘇生治療開始）からの経過時間を１秒単位で表示し始める。そして、医師は、この蘇生処置支援装置１００に設けられたタイマに従って、蘇生処置を施す蘇生処置期間（例えば、３０秒間）や評価する評価期間（例えば、６秒間）を認識することができる。
【００２５】
まず、医師はタイマスイッチ４１を操作するのとほぼ同時に、新生児の呼吸数、肌色、心音計測などを通じて新生児の評価を速やかに行う。医師は、この評価に基づいて必要であると判断すれば、新生児に保温、体位保持、気道開通、皮膚乾燥と刺激等の蘇生の初期処置を施し、その効果を判定するために呼吸と脈拍数をチェックする。そして、蘇生や呼吸補助が必要と判断した場合は、パルスオキシメータの検出部１０１を装着する。
【００２６】
必要な蘇生処置（ｓ３：ステップ３）を施しつつ、出生時からの経過時間が２７秒間経過すると、蘇生処置期間の終了時点（３０秒間）までの間に１秒間隔で報知音がスピーカから放音される。これにより、医師は、新生児への蘇生処置（ｓ３）から新生児の評価（ｓ４：ステップ４）へと切り替える準備をすることができる。そして、蘇生処置期間が経過すると、カウント開始から３６秒間までの間に、秒ポイント表示部５１の０番目から６番目のポイント発光表示部５２ａ〜５２ｇが１秒間隔で順番に点灯し、６秒間経過すると、全てのポイント発光表示部５２ａ〜５２ｇが同時に消灯する。したがって、医師は、新生児の評価のための評価期間の経過を認識することができる。なお、新生児の評価は、蘇生治療開始から３０秒間毎のタイミングで行われる。
【００２７】
そして、医師は、６秒間の評価期間のうちに新生児を評価（ｓ４）し、この評価に基づいて必要があると判断したときには、再び新生児に必要な蘇生処置を施してから（ｓ５：ステップ５）、次の６秒間の評価期間のうちに新生児を再び評価する（ｓ６：ステップ６）ことが繰り返され、必要に応じて同様の手順が繰り返される。
【００２８】
また、出生時からの経過時間が１分、３分、５分、１０分を経過するタイミングで、各蘇生処置期間の終了時点を報知するための報知音と異なる報知音が放音される。これにより、医師は、新生児のＳｐＯ２値を評価するタイミングであることを認識することができる。この際、医師は、制御・表示部１０のＳｐＯ２値表示部２０から、新生児の実測ＳｐＯ２値を認識することができる。
また、制御・表示部１０の画面を第１評価画面１０Ａと第２評価画面１０Ｂとの間で切り替えることにより、実測ＳｐＯ２値のデジタル表示部２１及び脈拍数のデジタル表示部３１とともに、実測ＳｐＯ２値のグラフ表示部２５又は脈拍数のグラフ表示部３５を表示させることができる。
なお、上記実施形態においては、蘇生処置期間は３０秒間に設定され、評価期間は６秒間に設定されているが、これらの設定は、マニュアルで変更することも可能である。
【００２９】
例えば、図１に示す第１評価画面１０Ａにおいては、経過時間表示部４０により蘇生治療開始から１分２秒経過時点であることを認識でき、図３に示す２回目の蘇生処置期間が経過して新生児の評価（ｓ６）を行う過程であることがわかる。また、秒ポイント表示部５１の０番目から２番目までのポイント発光表示部５２ａ〜５２ｃが点灯した状態であることから、医師は、評価期間の２秒経過時点を認識することができる。
【００３０】
そして、医師は、ＳｐＯ２値表示部２０のデジタル表示部２１により現時点での新生児の実測ＳｐＯ２値が「９７」であることを認識することができる。
また、医師は、この実測ＳｐＯ２値の評価と同時に、脈拍数表示部３０のデジタル表示部３１により現時点での新生児の脈拍数が「６８」であることも認識することができる。このように、医師は、第１評価画面１０Ａにおいて、限られた評価期間内において、ＳｐＯ２値及び脈拍数の２つの評価項目を迅速に認識することができる。
【００３１】
さらに、第１評価画面１０Ａには、患者の脈波をプレチスモグラフ波形として表示するグラフ表示部３５が設けられており、医師は、新生児の脈拍数を図形的に認識することができるようになっている。したがって、医師は、第１評価画面１０Ａにおいては、脈拍数の認識について、デジタル表示部３１とグラフ表示部３５の２つの表示方法のうち理解し易い表示方法を優先的に選択して、新生児の評価を行うことができる。
【００３２】
また、図２に示す第２評価画面１０Ｂにおいては、経過時間表示部４０により蘇生治療開始から７分１４秒経過時点であることを認識でき、秒ポイント表示部５１の各ポイント発光表示部５２ａ〜５２ｇが消灯した状態であることから、医師は、蘇生処置期間内であることを認識することができる。
そして、医師は、ＳｐＯ２値表示部２０のデジタル表示部２１により現時点での新生児の実測ＳｐＯ２値が「７５」であることを認識することができる。
また、医師は、この実測ＳｐＯ２値の評価と同時に、脈拍数表示部３０のデジタル表示部３１により現時点での新生児の脈拍数が「６０」であることを認識することができる。このように、医師は、第２評価画面１０Ｂにおいて、第１評価画面１０Ａと同様に、限られた評価期間内において、ＳｐＯ２値及び脈拍数の２つの評価項目を迅速に認識することができる。
【００３３】
さらに、第２評価画面１０Ｂには、患者の実測ＳｐＯ２値及びＳｐＯ２値の評価目標値を重ねて表示するグラフ表示部２５が設けられており、医師は、新生児の実測ＳｐＯ２値及びその評価目標値を容易に比較することができるようになっている。したがって、医師は、第２評価画面１０Ｂにおいては、実測ＳｐＯ２値の認識について、デジタル表示部２１とグラフ表示部２５の２つの表示方法のうち理解し易い表示方法を優先的に選択して、新生児の評価を行うことができる。なお、図２に示すグラフ表示部２５では、ＳｐＯ２値評価目標値の経過を示す一点鎖線２７に、蘇生治療開始から現時点（７分１４秒経過時点）までの実測ＳｐＯ２値の経過を示す実線２６が重ねられている。
また、制御・表示部１０の画面は、切替えスイッチ１１を操作することにより、第１評価画面１０Ａと第２評価画面１０Ｂとの間で自由に切り替えられるようになっていることから、医師は、実測ＳｐＯ２値のデジタル表示部２１及び脈拍数のデジタル表示部３１とともに、実測ＳｐＯ２値のグラフ表示部２５又は脈拍数のグラフ表示部３５のいずれかを選択して表示させることができる。
【００３４】
このように、蘇生処置支援装置１００では、経過時間及び評価期間を表示する各表示部４０，５０の他に、患者の評価に必要な評価項目であるＳｐＯ２値（実測ＳｐＯ２値）と脈拍数との両方を表示するＳｐＯ２値表示部２０及び脈拍数表示部３０を設けたことにより、医師等は、蘇生治療開始時点からの経過時間を正確に認識しつつ、蘇生治療時における限られた時間内において、ＳｐＯ２値及び脈拍数の２つの評価項目を迅速に認識することができる。
【００３５】
また、ＳｐＯ２値表示部２０に、デジタル表示部２１の他にグラフ表示部２５を設け、実測ＳｐＯ２値とＳｐＯ２値の評価目標値とを重ねて表示することにより、実測ＳｐＯ２値とその評価目標値とを容易に比較することができるようになっている。ＳｐＯ２値の評価目標値は、蘇生治療開始からの経過時間に対応して変化するが、医師等は、グラフ表示部２５も表示されたＳｐＯ２値の評価目標値により、その時点におけるＳｐＯ２値の評価目標値を迅速に認識することができ、患者の評価を迅速に行うことが可能となる。
したがって、蘇生処置支援装置１００により、医師が、患者の評価を迅速に行うことができ、適切な蘇生処置を効果的に行えるように適切に支援することができる。
【００３６】
また、以上において本発明の一実施例について詳細に説明したが、本発明は、この実施例に限定されるものではなく、特許請求の範囲に記載された発明の趣旨に基づいて各種の変更および修正が可能である。
【符号の説明】
【００３７】
１０  制御・表示部
１０Ａ  第１評価画面
１０Ｂ  第２評価画面
１１  切替えスイッチ
１２  メニュー画面切替えスイッチ
２０  ＳｐＯ２値表示部
２１  デジタル表示部
２２  警報ＳｐＯ２値表示部
２３  上限値
２４  下限値
２５  グラフ表示部
２６  実測ＳｐＯ２値（実線）
２７  ＳｐＯ２値の評価目標値（一点鎖線）
３０  脈拍数表示部
３１  デジタル表示部
３２  警報脈拍数表示部
３３  上限値
３４  下限値
３５  グラフ表示部
４０  経過時間表示部
４１  タイマスイッチ
５０  評価期間表示部
５１  秒ポイント表示部
５２ａ〜５２ｇ  ポイント発光表示部
１００  蘇生処置支援装置
１０１  検出部
【図１】
2014083114.tif 000003
【図２】
2014083114.tif 000004
【図３】
2014083114.tif 000005